(57)【要約】【課題】例えば、中古品の位置と時間と写真を正確に、かつ、効率的に管理することを目的とする。【解決手段】例えば、業者が中古ＰＣ１０１を引き取る場合、業者は端末装置２００を用いて、（１）時刻及び位置を認証する認証コードを認証センタ装置３００から取得し、（２）中古ＰＣ１０１の写真１０３ａを撮影し、（３）中古ＰＣ１０１の写真１０３ａに認証コードを付加して認証コード付き写真１０３ａを作成し、アーカイブサーバ装置４００に保存する。その後、業者は中古品管理装置５００を用いて、（４）認証コード付き写真１０３ａをアーカイブサーバ装置４００からコピーし、（５）中古ＰＣ１０１を電子管理し、（６）中古ＰＣ引取証明書１０４を発行する。【選択図】図１
2008009656.tif 000002
【特許請求の範囲】
【請求項１】
中古品を識別する識別データと前記中古品の状態に変化があったことを示す状態データとを入力して送信する端末装置と、前記中古品の状態に変化があった時刻及び位置を認証する認証データを生成する認証センタ装置と、前記端末装置により送信された識別データと状態データとを受信し、当該識別データと当該状態データと前記認証センタ装置により生成された認証データとを対応付けて記憶するアーカイブサーバ装置とを備える中古品管理システムとネットワークを介して接続される中古品管理装置であって、
前記識別データと前記認証データとのいずれかを入力装置により入力する管理入力部と、
前記管理入力部により入力されたデータを、前記ネットワークを介して送信する管理送信部と、
前記アーカイブサーバ装置が、前記管理送信部により送信されたデータを受信し、当該データに対応する識別データと状態データと認証データとを抽出し、当該識別データと当該状態データとともに、当該認証データが認証する時刻及び位置を示す時刻位置データを送信した場合に、前記アーカイブサーバ装置により送信された識別データと状態データと時刻位置データとを、前記ネットワークを介して受信する管理受信部と、
前記管理受信部により受信された識別データと状態データと時刻位置データとを記憶装置に記憶する管理記憶部と、
前記管理記憶部により記憶された識別データと状態データと時刻位置データとを出力装置により出力する管理出力部とを有することを特徴とする中古品管理装置。
【請求項２】
中古品を識別する識別データと前記中古品の状態に変化があったことを示す状態データとを入力して送信する端末装置と、前記中古品の状態に変化があった時刻及び位置を認証する認証データを生成する認証センタ装置と、前記端末装置により送信された識別データと状態データとを受信し、当該識別データと当該状態データと前記認証センタ装置により生成された認証データとを対応付けて記憶するアーカイブサーバ装置とを備える中古品管理システムとネットワークを介して接続されるコンピュータに実行させる中古品管理プログラムであって、
コンピュータが有する管理入力部が、前記識別データと前記認証データとのいずれかを入力装置により入力する管理入力ステップと、
コンピュータが有する管理送信部が、前記管理入力ステップにより入力されたデータを、前記ネットワークを介して送信する管理送信ステップと、
前記アーカイブサーバ装置が、前記管理送信ステップにより送信されたデータを受信し、当該データに対応する識別データと状態データと認証データとを抽出し、当該識別データと当該状態データとともに、当該認証データが認証する時刻及び位置を示す時刻位置データを送信した場合に、コンピュータが有する管理受信部が、前記アーカイブサーバ装置により送信された識別データと状態データと時刻位置データとを、前記ネットワークを介して受信する管理受信ステップと、
コンピュータが有する管理記憶部が、前記管理受信ステップにより受信された識別データと状態データと時刻位置データとを記憶装置に記憶する管理記憶ステップと、
コンピュータが有する管理出力部が、前記管理記憶ステップにより記憶された識別データと状態データと時刻位置データとを出力装置により出力する管理出力ステップとをコンピュータに実行させることを特徴とする中古品管理プログラム。
【請求項３】
中古品を識別する識別データと前記中古品の状態に変化があったことを示す状態データとを入力する第１の端末入力部と、前記第１の端末入力部により入力された識別データと状態データとを送信する第１の端末送信部とを有する端末装置と、
前記中古品の状態に変化があった時刻及び位置を認証する認証データを生成する認証生成部を有する認証センタ装置と、
前記端末装置が有する第１の端末送信部により送信された識別データと状態データとを受信する第１のサーバ受信部と、前記第１のサーバ受信部により受信された識別データと状態データと前記認証センタ装置が有する認証生成部により生成された認証データとを対応付けて記憶装置に記憶するサーバ記憶部とを有するアーカイブサーバ装置と、
前記識別データと前記認証データとのいずれかを入力する管理入力部と、前記管理入力部により入力されたデータを送信する管理送信部とを有する中古品管理装置とを備え、
前記アーカイブサーバ装置は、さらに、前記中古品管理装置が有する管理送信部により送信されたデータを受信する第２のサーバ受信部と、前記第２のサーバ受信部により受信されたデータに対応する識別データと状態データと認証データとを前記記憶装置から抽出する抽出部と、前記抽出部により抽出された識別データと状態データと前記抽出部により抽出された認証データが認証する時刻及び位置を示す時刻位置データとを送信するサーバ送信部とを有し、
前記中古品管理装置は、さらに、前記アーカイブサーバ装置が有するサーバ送信部により送信された識別データと状態データと時刻位置データとを受信する管理受信部と、前記管理受信部により受信された識別データと状態データと時刻位置データとを記憶する管理記憶部と、前記管理記憶部により記憶された識別データと状態データと時刻位置データとを出力する管理出力部とを有することを特徴とする中古品管理システム。
【請求項４】
前記アーカイブサーバ装置が有するサーバ記憶部は、同一の中古品の状態に変化があったことを示す状態データと当該変化があった時刻及び位置を認証する認証データとの複数の組み合わせを、当該中古品を識別する１つの識別データと対応付けて記憶し、
前記中古品管理装置が有する管理入力部は、前記１つの識別データを入力し、
前記アーカイブサーバ装置が有する抽出部は、前記１つの識別データに対応する状態データと認証データとの複数の組み合わせを前記記憶装置から抽出し、
前記アーカイブサーバ装置が有するサーバ送信部は、前記１つの識別データとともに、前記１つの識別データに対応する状態データと前記１つの識別データに対応する認証データが認証する時刻及び位置を示す時刻位置データとの複数の組み合わせを送信し、
前記中古品管理装置が有する管理出力部は、前記１つの識別データとともに、前記複数の組み合わせに含まれる状態データと時刻位置データとを組み合わせごとに出力することを特徴とする請求項３に記載の中古品管理システム。
【請求項５】
前記端末装置が有する第１の端末入力部は、前記状態データの１つとして、前記中古品が引き取られたことを示すデータを入力し、
前記認証センタ装置が有する認証生成部は、前記認証データの１つとして、前記中古品が引き取られた時刻及び位置を認証するデータを生成し、
前記中古品管理装置が有する管理出力部は、前記時刻位置データの１つとして、前記中古品が引き取られた時刻及び位置を示すデータを出力することを特徴とする請求項４に記載の中古品管理システム。
【請求項６】
前記端末装置が有する第１の端末入力部は、前記状態データの１つとして、前記中古品が引き渡されたことを示すデータを入力し、
前記認証センタ装置が有する認証生成部は、前記認証データの１つとして、前記中古品が引き渡された時刻及び位置を認証するデータを生成し、
前記中古品管理装置が有する管理出力部は、前記時刻位置データの１つとして、前記中古品が引き渡された時刻及び位置を示すデータを出力することを特徴とする請求項４に記載の中古品管理システム。
【請求項７】
前記端末装置が有する第１の端末入力部は、前記状態データの１つとして、前記中古品が複数の部品に分解されたことを示すデータを入力し、
前記認証センタ装置が有する認証生成部は、前記認証データの１つとして、前記中古品が分解された時刻及び位置を認証するデータを生成し、
前記中古品管理装置が有する管理出力部は、前記時刻位置データの１つとして、前記中古品が分解された時刻及び位置を示すデータを出力することを特徴とする請求項４に記載の中古品管理システム。
【請求項８】
前記端末装置が有する第１の端末入力部は、前記状態データの１つとして、前記中古品が１つの完成品から分解されたことを示すデータを入力し、
前記認証センタ装置が有する認証生成部は、前記認証データの１つとして、前記中古品が分解された時刻及び位置を認証するデータを生成し、
前記中古品管理装置が有する管理出力部は、前記時刻位置データの１つとして、前記中古品が分解された時刻及び位置を示すデータを出力することを特徴とする請求項４に記載の中古品管理システム。
【請求項９】
前記端末装置は、さらに、自己の位置を示す位置データを入力する第２の端末入力部と、前記第２の端末入力部により入力された位置データを送信する第２の端末送信部とを有し、
前記認証センタ装置は、さらに、前記端末装置が有する第２の端末送信部により送信された位置データを受信する認証受信部を有し、
前記認証センタ装置が有する認証生成部は、現在時刻を示す時刻データと前記認証受信部により受信された位置データと前記時刻データが示す時刻又は前記位置データが示す位置でしか得られない一意の特定データとを合成して前記認証データを生成することを特徴とする請求項３に記載の中古品管理システム。
【請求項１０】
前記端末装置が有する第１の端末入力部は、前記状態データとして、前記中古品の写真を撮影して入力し、
前記認証センタ装置が有する認証生成部は、前記認証データとして、前記中古品の写真が撮影された時刻及び位置を認証するデータを生成することを特徴とする請求項３に記載の中古品管理システム。
【請求項１１】
前記中古品管理装置は、さらに、前記管理受信部により受信された識別データと状態データと時刻位置データとを表示して前記中古品の状態に変化があったことを証明する証明書を発行する管理発行部を有することを特徴とする請求項３に記載の中古品管理システム。
【請求項１２】
前記中古品は、中古ＰＣ（パーソナルコンピュータ）と中古車との少なくともいずれかを含むことを特徴とする請求項３に記載の中古品管理システム。
【請求項１３】
端末装置が、中古品を識別する識別データと前記中古品の状態に変化があったことを示す状態データとを入力する第１の端末入力ステップと、
前記端末装置が、前記第１の端末入力ステップにより入力された識別データと状態データとを送信する第１の端末送信ステップと、
認証センタ装置が、前記中古品の状態に変化があった時刻及び位置を認証する認証データを生成する認証生成ステップと、
アーカイブサーバ装置が、前記第１の端末送信ステップにより送信された識別データと状態データとを受信する第１のサーバ受信ステップと、
前記アーカイブサーバ装置が、前記第１のサーバ受信ステップにより受信された識別データと状態データと前記認証生成ステップにより生成された認証データとを対応付けて記憶装置に記憶するサーバ記憶ステップと、
中古品管理装置が、前記識別データと前記認証データとのいずれかを入力する管理入力ステップと、
前記中古品管理装置が、前記管理入力ステップにより入力されたデータを送信する管理送信ステップと、
前記アーカイブサーバ装置が、前記管理送信ステップにより送信されたデータを受信する第２のサーバ受信ステップと、
前記アーカイブサーバ装置が、前記第２のサーバ受信ステップにより受信されたデータに対応する識別データと状態データと認証データとを前記記憶装置から抽出する抽出ステップと、
前記アーカイブサーバ装置が、前記抽出ステップにより抽出された識別データと状態データと前記抽出ステップにより抽出された認証データが認証する時刻及び位置を示す時刻位置データとを送信するサーバ送信ステップと、
前記中古品管理装置が、前記サーバ送信ステップにより送信された識別データと状態データと時刻位置データとを受信する管理受信ステップと、
前記中古品管理装置が、前記管理受信ステップにより受信された識別データと状態データと時刻位置データとを記憶する管理記憶ステップと、
前記中古品管理装置が、前記管理記憶ステップにより記憶された識別データと状態データと時刻位置データとを出力する管理出力ステップとを備えることを特徴とする中古品管理方法。
【請求項１４】
前記サーバ記憶ステップでは、前記アーカイブサーバ装置が、同一の中古品の状態に変化があったことを示す状態データと当該変化があった時刻及び位置を認証する認証データとの複数の組み合わせを、当該中古品を識別する１つの識別データと対応付けて記憶し、
前記管理入力ステップでは、前記中古品管理装置が、前記１つの識別データを入力し、
前記抽出ステップでは、前記アーカイブサーバ装置が、前記１つの識別データに対応する状態データと認証データとの複数の組み合わせを前記記憶装置から抽出し、
前記サーバ送信ステップでは、前記アーカイブサーバ装置が、前記１つの識別データとともに、前記１つの識別データに対応する状態データと前記１つの識別データに対応する認証データが認証する時刻及び位置を示す時刻位置データとの複数の組み合わせを送信し、
前記管理出力ステップでは、前記中古品管理装置が、前記１つの識別データとともに、前記複数の組み合わせに含まれる状態データと時刻位置データとを組み合わせごとに出力することを特徴とする請求項１３に記載の中古品管理方法。
【発明の詳細な説明】
【技術分野】
【０００１】
本発明は、中古品管理装置及び中古品管理プログラム及び中古品管理システム及び中古品管理方法に関するものである。本発明は、特に、中古ＰＣ（パーソナルコンピュータ）などの中古品引取管理に関するものである。
【背景技術】
【０００２】
時刻を認証する方法として、例えば、時刻を示す時刻情報と時刻情報の認証情報であり時刻の経過に伴って変化する経時変化情報（例えば、気象衛星から得られる雲画像などの気象データ）より合成情報を生成し、これを用いる方法が公知である（例えば、特許文献１参照）。位置を認証する方法についても同様である。実際にこのような方法を用いるサービス（位置時間証明情報提供サービス）として、例えば、ＣＯＣＯ−ＤＡＴＥＳ（登録商標）サービスがある（ウェブサイトＵＲＬ＜ｈｔｔｐ：／／ｗｗｗ．ｍｉｔｓｕｂｉｓｈｉｅｌｅｃｔｒｉｃ．ｃｏ．ｊｐ／ｃｏｃｏ−ｄａｔｅｓ／＞）。
【０００３】
従来、中古品の管理に係るシステムとして、入庫した中古修理品をデジタルカメラに撮影し、中古修理品の入庫伝票を基にした在庫データと中古修理品の写真データを合わせて写真付き在庫データを作成し、この写真付き在庫データを、ウェブサーバを通して公開するものがあった（例えば、特許文献２参照）。また、センタ装置に、車両構成を特定する車両識別情報と車両の構成部品の一覧情報とを対応付けたデータベース機能をもたせ、解体業者のユーザ装置が、入庫した車両の上記車両識別情報の指定で上記構成部品一覧情報を入手できるようにしておき、解体業者が構成部品一覧からリサイクル部品として取り外す部品を指定してリサイクル部品情報としてセンタ装置に登録するものがあった（例えば、特許文献３参照）。
【特許文献１】特開２００１−２９７０６２号公報
【特許文献２】特開２００３−３０５０４号公報
【特許文献３】特開２００２−１０９３２３号公報
【発明の開示】
【発明が解決しようとする課題】
【０００４】
従来のシステムでは、業者が中古品を引き取る場合や引き渡す場合に、どの中古品をいつ、どこで引き取り、いつ、どこへ引き渡したかを正確に、かつ、効率的に管理することが難しいという課題があった。同様に、業者が中古品を複数の部品に分解する場合に、どの部品をいつ、どこで分解し、いつ、どこへ引き渡したかを正確に、かつ、効率的に管理することが難しいという課題があった。また、中古品にキズがあった等、後で苦情が寄せられた場合に、引取りや引渡し時にキズがあったか否かを証拠として示す必要があった。また、中古品によっては、時間とともに品質が劣化や変化するものもあり、最近の写真であるという証拠を示す必要があった。また、中古品によっては、形状が同様の為、写真だけでは判別が困難であり、撮影した場所を示す必要があった。
【０００５】
本発明は、例えば、中古品の位置と時間と写真を正確に、かつ、効率的に管理することを目的とする。また、位置時間証明情報付き写真を証拠品として提示することを目的とする。
【課題を解決するための手段】
【０００６】
本発明に係る中古品管理装置は、
中古品を識別する識別データと前記中古品の状態に変化があったことを示す状態データとを入力して送信する端末装置と、前記中古品の状態に変化があった時刻及び位置を認証する認証データを生成する認証センタ装置と、前記端末装置により送信された識別データと状態データとを受信し、当該識別データと当該状態データと前記認証センタ装置により生成された認証データとを対応付けて記憶するアーカイブサーバ装置とを備える中古品管理システムとネットワークを介して接続される中古品管理装置であって、
前記識別データと前記認証データとのいずれかを入力装置により入力する管理入力部と、
前記管理入力部により入力されたデータを、前記ネットワークを介して送信する管理送信部と、
前記アーカイブサーバ装置が、前記管理送信部により送信されたデータを受信し、当該データに対応する識別データと状態データと認証データとを抽出し、当該識別データと当該状態データとともに、当該認証データが認証する時刻及び位置を示す時刻位置データを送信した場合に、前記アーカイブサーバ装置により送信された識別データと状態データと時刻位置データとを、前記ネットワークを介して受信する管理受信部と、
前記管理受信部により受信された識別データと状態データと時刻位置データとを記憶装置に記憶する管理記憶部と、
前記管理記憶部により記憶された識別データと状態データと時刻位置データとを出力装置により出力する管理出力部とを有することを特徴とする。
【発明の効果】
【０００７】
本発明では、中古品管理装置において、アーカイブサーバ装置が、管理送信部により送信されたデータを受信し、当該データに対応する識別データと状態データと認証データとを抽出し、当該識別データと当該状態データとともに、当該認証データが認証する時刻及び位置を示す時刻位置データを送信した場合に、管理受信部が、アーカイブサーバ装置により送信された識別データと状態データと時刻位置データとを、ネットワークを介して受信し、管理記憶部が、管理受信部により受信された識別データと状態データと時刻位置データとを記憶装置に記憶し、管理出力部が、管理記憶部により記憶された識別データと状態データと時刻位置データとを出力装置により出力することにより、中古品を正確に、かつ、効率的に管理することが可能となる。
【発明を実施するための最良の形態】
【０００８】
以下、本発明の実施の形態について、図を用いて説明する。
【０００９】
実施の形態１．
図１は、本実施の形態に係る中古品管理システム１００の概要を示す図である。
【００１０】
本実施の形態において、中古品管理システム１００は、端末装置２００、認証センタ装置３００、アーカイブサーバ装置４００、中古品管理装置５００を備える。端末装置２００は、例えば、ＧＰＳ（全地球測位システム）機能を備えたカメラ付き携帯電話機やデジタルカメラである。認証センタ装置３００、アーカイブサーバ装置４００は、認証センタ１０２に設置され、時刻及び位置を証明するサービスを提供するコンピュータである。中古品管理装置５００は、例えば、ＰＣ（パーソナルコンピュータ）である。端末装置２００、認証センタ装置３００、アーカイブサーバ装置４００、中古品管理装置５００は、移動通信網、ＷＡＮ（ワイドエリアネットワーク）、ＬＡＮ（ローカルエリアネットワーク）、インターネットなどのネットワークを介して互いに通信を行う。
【００１１】
例えば、業者が中古ＰＣ１０１を引き取る場合、業者は、端末装置２００を用いて、
（１）認証コードを認証センタ装置３００から取得する。
（２）中古ＰＣ１０１の写真１０３ａを撮影する。
（３）中古ＰＣ１０１の写真１０３ａに認証コードを付加して認証コード付き写真１０３ａを作成し、アーカイブサーバ装置４００に保存する。
【００１２】
上記（１）において、認証センタ装置３００は、中古ＰＣ１０１が引き取られた時刻及び位置を認証する認証コード（図１の例では、“ａｂｃｄｅｆｇｈｉｊｋｌ”）を生成する。上記（２）において、端末装置２００は、中古ＰＣ１０１の製造番号（図１の例では、“５５３８３−ＯＥＭ−０００００００−ＸＸＸＸＸ”）と中古ＰＣ１０１が引き取られるときに撮影した中古ＰＣ１０１の写真１０３ａとを入力する。上記（３）において、端末装置２００は、入力した製造番号と（認証コード付き）写真１０３ａとを、ネットワークを介してアーカイブサーバ装置４００に送信する。アーカイブサーバ装置４００は、端末装置２００により送信された中古ＰＣ１０１の製造番号と写真１０３ａとを、ネットワークを介して受信し、受信した製造番号と写真１０３ａと認証センタ装置３００により生成された認証コードとを対応付けてデータベース（図示していない）に記憶する。
【００１３】
上記（３）の後、業者は、中古品管理装置５００を用いて、
（４）（認証コード付き）写真１０３ａをアーカイブサーバ装置４００からコピーする（アーカイブサーバ装置４００が自動的にコピーしてもよいし、中古品管理装置５００が自動的に又はユーザにより手動でコピーしてもよい）。
（５）中古ＰＣ１０１を電子管理する。
（６）中古ＰＣ引取証明書１０４を発行する。
【００１４】
上記（４）において、中古品管理装置５００は、中古ＰＣ１０１の製造番号を入力し、入力した製造番号を、ネットワークを介してアーカイブサーバ装置４００に送信する。アーカイブサーバ装置４００は、中古品管理装置５００により送信された中古ＰＣ１０１の製造番号を、ネットワークを介して受信し、受信した製造番号に対応する中古ＰＣ１０１の写真１０３ａと認証コードとをデータベースから抽出し、抽出した製造番号と写真１０３ａとともに、抽出した認証コードが認証する時刻（図１の例では、「時間」）及び位置（図１の例では、「場所」又は「行先」）を示す時刻位置データを、ネットワークを介して中古品管理装置５００に送信する。中古品管理装置５００は、アーカイブサーバ装置４００により送信された中古ＰＣ１０１の製造番号と写真１０３ａと時刻位置データとを、ネットワークを介して受信する。上記（５）において、中古品管理装置５００は、受信した製造番号と写真１０３ａと時刻位置データとをディスク（図示していない）に記憶する。そして、中古ＰＣ１０１の製造番号と写真１０３ａと時刻位置データとをディスクから読み取って画面に出力する。ここで、業者は、画面に出力された写真１０３ａに付加されている認証コードを中古品管理装置５００に入力して、中古品管理装置５００からアーカイブサーバ装置４００に送信し、入力した認証コードが認証する時刻及び位置をアーカイブサーバ装置４００に問い合わせてもよい。これにより、時刻位置データを検証することができる。上記（６）において、中古品管理装置５００は、中古ＰＣ１０１の製造番号と写真１０３ａと時刻位置データとを表示して、中古ＰＣ１０１がいつ、どこで引き取られたかを証明する中古ＰＣ引取証明書１０４を発行する。
【００１５】
上記（４）において、アーカイブサーバ装置４００は、中古品管理装置５００から受信した製造番号に対応する中古ＰＣ１０１の写真１０３と認証コードとがデータベースに複数保存されている場合（図１の例では、中古ＰＣ１０１の引取、引渡、分解（通常は、引渡と分解のどちらか一方）のときの写真１０３ａ〜ｃと認証コード、中古ＰＣ１０１から分解された部品の引渡（「部品１」、「部品２」）のときの写真１０３ｄ〜ｅと認証コード）、全ての写真ａ〜ｅと認証コードとをデータベースから抽出し、抽出した製造番号と写真１０３ａ〜ｅとともに、抽出した認証コードのそれぞれに対応する時刻位置データを中古品管理装置５００に送信する。上記（５）において、中古品管理装置５００は、受信した製造番号と写真１０３ａ〜ｅと各時刻位置データとをディスクに記憶し、画面に出力する。このとき、中古品管理装置５００は、中古ＰＣ１０１に管理番号（図１の例では、“１２３４５６７８９”）を割り当て、割り当てた管理番号ごとに中古ＰＣ１０１の写真１０３ａ〜ｅや時刻位置データを管理してもよい。また、中古品管理装置５００は、中古ＰＣ１０１から分解された部品がある場合には、それらの名称（図１の例では、「ＣＰＵ」、「ＦＤＤ」）を入力してディスクに記憶し、部品の引渡の場所（行先）や時間とともに電子管理してもよい。
【００１６】
図２は、端末装置２００の構成を示すブロック図である。
【００１７】
図２において、端末装置２００は、第１の端末入力部２１１、第１の端末送信部２１２、第２の端末入力部２１３、第２の端末送信部２１４を有する。また、端末装置２００は、記憶装置２０１、処理装置２０２、入力装置２０３、出力装置２０４などのハードウェア装置を備える（又はこれらのハードウェア装置が端末装置２００に接続される）。ハードウェア装置は端末装置２００の各部によって利用される。例えば、処理装置２０２は、端末装置２００の各部でデータや情報の演算、加工、読み取り、書き込みなどを行うために利用される。記憶装置２０１は、そのデータや情報を記憶するために利用される。また、入力装置２０３は、そのデータや情報を入力するために、出力装置２０４は、そのデータや情報を出力するために利用される。
【００１８】
第２の端末入力部２１３は、自己（端末装置２００）の位置を示す位置データを入力装置２０３により入力する。第２の端末送信部２１４は、第２の端末入力部２１３により入力された位置データを認証センタ装置３００に送信する。第１の端末入力部２１１は、中古品（図１の例では、中古ＰＣ１０１）を識別する識別データ（図１の例では、中古ＰＣ１０１の製造番号）と中古品の状態に変化があったこと（図１の例では、中古ＰＣ１０１の引取、引渡、分解、中古ＰＣ１０１の部品の引渡）を示す状態データ（図１の例では、写真１０３ａ〜ｅ）とを入力装置２０３により入力する。中古品は、中古ＰＣ１０１や中古ＰＣ１０１を分解した部品のほか、中古車など、その他の中古品であってもよい。第１の端末送信部２１２は、第１の端末入力部２１１により入力された識別データと状態データとをアーカイブサーバ装置４００に送信する。
【００１９】
図３は、認証センタ装置３００の構成を示すブロック図である。
【００２０】
図３において、認証センタ装置３００は、認証生成部３１１、認証受信部３１２を有する。また、認証センタ装置３００は、記憶装置３０１、処理装置３０２、入力装置３０３、出力装置３０４などのハードウェア装置を備える（又はこれらのハードウェア装置が認証センタ装置３００に接続される）。ハードウェア装置は認証センタ装置３００の各部によって利用される。例えば、処理装置３０２は、認証センタ装置３００の各部でデータや情報の演算、加工、読み取り、書き込みなどを行うために利用される。記憶装置３０１は、そのデータや情報を記憶するために利用される。また、入力装置３０３は、そのデータや情報を入力するために、出力装置３０４は、そのデータや情報を出力するために利用される。
【００２１】
認証受信部３１２は、端末装置２００により送信された位置データを受信する。認証生成部３１１は、現在時刻を示す時刻データと認証受信部３１２により受信された位置データと時刻データが示す時刻又は位置データが示す位置でしか得られない一意の特定データとを処理装置３０２により合成して、中古品の状態に変化があった時刻及び位置を認証する認証データ（図１の例では、認証コード）を生成する。
【００２２】
図４は、アーカイブサーバ装置４００の構成を示すブロック図である。
【００２３】
図４において、アーカイブサーバ装置４００は、第１のサーバ受信部４１１、サーバ記憶部４１２、第２のサーバ受信部４１３、抽出部４１４、サーバ送信部４１５を有する。また、アーカイブサーバ装置４００は、記憶装置４０１、処理装置４０２、入力装置４０３、出力装置４０４などのハードウェア装置を備える（又はこれらのハードウェア装置がアーカイブサーバ装置４００に接続される）。ハードウェア装置はアーカイブサーバ装置４００の各部によって利用される。例えば、処理装置４０２は、アーカイブサーバ装置４００の各部でデータや情報の演算、加工、読み取り、書き込みなどを行うために利用される。記憶装置４０１は、そのデータや情報を記憶するために利用される。また、入力装置４０３は、そのデータや情報を入力するために、出力装置４０４は、そのデータや情報を出力するために利用される。
【００２４】
第１のサーバ受信部４１１は、端末装置２００により送信された識別データと状態データとを受信する。サーバ記憶部４１２は、第１のサーバ受信部４１１により受信された識別データと状態データと認証センタ装置３００により生成された認証データとを対応付けて記憶装置４０１（図１の例では、データベース）に記憶する。第２のサーバ受信部４１３は、中古品管理装置５００により送信される識別データを受信する。抽出部４１４は、第２のサーバ受信部４１３により受信された識別データに対応する状態データと認証データとを記憶装置４０１から抽出する。サーバ送信部４１５は、抽出部４１４により抽出された認証データに基づき、当該認証データが認証する時刻及び位置を示す時刻位置データを処理装置４０２により生成する。そして、第２のサーバ受信部４１３により受信された識別データ（抽出部４１４により抽出された識別データ）とともに、抽出部４１４により抽出された状態データと生成した時刻位置データとを中古品管理装置５００に送信する。
【００２５】
１つの識別データに対応する（１つの中古品の）状態データと認証データとは複数存在する場合がある。この場合、サーバ記憶部４１２は、同一の中古品の状態に変化があったことを示す状態データと当該変化があった時刻及び位置を認証する認証データとの複数の組み合わせを、当該中古品を識別する１つの識別データと対応付けて記憶装置４０１に記憶する。抽出部４１４は、１つの識別データに対応する状態データと認証データとの複数の組み合わせを記憶装置４０１から抽出する。サーバ送信部４１５は、１つの識別データとともに、１つの識別データに対応する状態データと１つの識別データに対応する認証データが認証する時刻及び位置を示す時刻位置データとの複数の組み合わせを中古品管理装置５００に送信する。
【００２６】
図５は、中古品管理装置５００の構成を示すブロック図である。
【００２７】
図５において、中古品管理装置５００は、管理入力部５１１、管理送信部５１２、管理受信部５１３、管理記憶部５１４、管理出力部５１５、管理発行部５１６を有する。また、中古品管理装置５００は、記憶装置５０１、処理装置５０２、入力装置５０３、出力装置５０４などのハードウェア装置を備える（又はこれらのハードウェア装置が中古品管理装置５００に接続される）。ハードウェア装置は中古品管理装置５００の各部によって利用される。例えば、処理装置５０２は、中古品管理装置５００の各部でデータや情報の演算、加工、読み取り、書き込みなどを行うために利用される。記憶装置５０１は、そのデータや情報を記憶するために利用される。また、入力装置５０３は、そのデータや情報を入力するために、出力装置５０４は、そのデータや情報を出力するために利用される。
【００２８】
管理入力部５１１は、識別データを入力装置５０３により入力する。管理送信部５１２は、管理入力部５１１により入力された識別データをアーカイブサーバ装置４００に送信する。管理受信部５１３は、アーカイブサーバ装置４００により送信された識別データと状態データと時刻位置データとを受信する。管理記憶部５１４は、管理受信部５１３により受信された識別データと状態データと時刻位置データとを記憶装置５０１（図１の例では、ディスク）に記憶する。管理出力部５１５は、管理記憶部５１４により記憶された識別データと状態データと時刻位置データとを出力装置５０４により出力する。管理発行部５１６は、管理受信部５１３により受信された識別データと状態データと時刻位置データとを表示して中古品の状態に変化があったことを証明する証明書（図１の例では、中古ＰＣ引取証明書１０４）を出力装置５０４により発行する。
【００２９】
前述したように、１つの識別データに対応する（１つの中古品の）状態データと認証データとは複数存在する場合がある。この場合、管理入力部５１１は、１つの識別データを入力装置５０３により入力する。管理出力部５１５は、１つの識別データとともに、複数の組み合わせに含まれる状態データと時刻位置データとを組み合わせごとに出力装置５０４により出力する。
【００３０】
図１の例で示したように、中古品の写真を状態データとして扱うことができる。この場合、端末装置２００が有する第１の端末入力部２１１は、状態データとして、中古品の写真を入力装置２０３（例えば、カメラ）により撮影して入力する。認証センタ装置３００が有する認証生成部３１１は、認証データとして、中古品の写真が撮影された時刻及び位置を認証するデータを処理装置３０２により生成する。これにより、中古品の管理が容易になり、さらに中古品の偽装などが困難となるため、システムの信頼性が向上する。つまり、この例によれば、中古品の位置と時間と写真を正確に、かつ、効率的に管理することができる。そして、位置時間証明情報付き写真（本実施の形態で示しているように、認証コードなどの位置時間証明情報を物理的に付加（例えば、印刷）した写真だけでなく、論理的に付加（例えば、データベースで対応付けして記録・管理）した写真であってもよい）を証拠品として提示することができる。位置時間証明情報付き写真を使用することにより、中古品にキズがあった等、後で苦情が寄せられた場合に、引取りや引渡し時にキズがあったか否かを証拠として示すことができる。また、中古品によっては、時間とともに品質が劣化や変化するものもあり、最近の写真であるという証拠を示すことができる。また、中古品によっては、形状が同様の為、写真だけでは判別が困難であり、撮影した場所を示すことができる。
【００３１】
また、中古品管理システム１００により、中古品がいつ、どこで引き取られたかを管理（記録）することができる。この場合、端末装置２００が有する第１の端末入力部２１１は、状態データの１つとして、中古品が引き取られたことを示すデータを入力装置２０３により入力する。認証センタ装置３００が有する認証生成部３１１は、認証データの１つとして、中古品が引き取られた時刻及び位置を認証するデータを処理装置３０２により生成する。中古品管理装置５００が有する管理出力部５１５は、時刻位置データの１つとして、中古品が引き取られた時刻及び位置を示すデータを出力装置５０４により出力する。これにより、引き取られた中古品を正確に、かつ、効率的に管理することが可能となる。
【００３２】
また、中古品管理システム１００により、中古品がいつ、どこで引き渡されたかを管理（記録）することができる。この場合、端末装置２００が有する第１の端末入力部２１１は、状態データの１つとして、中古品が引き渡されたことを示すデータを入力装置２０３により入力する。認証センタ装置３００が有する認証生成部３１１は、認証データの１つとして、中古品が引き渡された時刻及び位置を認証するデータを処理装置３０２により生成する。中古品管理装置５００が有する管理出力部５１５は、時刻位置データの１つとして、中古品が引き渡された時刻及び位置を示すデータを出力装置５０４により出力する。これにより、引き渡された中古品を正確に、かつ、効率的に管理することが可能となる。
【００３３】
また、中古品管理システム１００により、１つの完成品である中古品がいつ、どこで分解されたかを管理（記録）することができる。この場合、端末装置２００が有する第１の端末入力部２１１は、状態データの１つとして、中古品が複数の部品に分解されたことを示すデータを入力装置２０３により入力する。認証センタ装置３００が有する認証生成部３１１は、認証データの１つとして、中古品が分解された時刻及び位置を認証するデータを処理装置３０２により生成する。中古品管理装置５００が有する管理出力部５１５は、時刻位置データの１つとして、中古品が分解された時刻及び位置を示すデータを出力装置５０４により出力する。これにより、分解された中古品を正確に、かつ、効率的に管理することが可能となる。
【００３４】
また、中古品管理システム１００により、１つの部品である中古品がいつ、どこで分解されたかを管理（記録）することができる。この場合、端末装置２００が有する第１の端末入力部２１１は、状態データの１つとして、中古品が１つの完成品から分解されたことを示すデータを入力装置２０３により入力する。認証センタ装置３００が有する認証生成部３１１は、認証データの１つとして、中古品が分解された時刻及び位置を認証するデータを処理装置３０２により生成する。中古品管理装置５００が有する管理出力部５１５は、時刻位置データの１つとして、中古品が分解された時刻及び位置を示すデータを出力装置５０４により出力する。これにより、分解された中古品を正確に、かつ、効率的に管理することが可能となる。
【００３５】
図６は、中古品管理システム１００が備える端末装置２００、認証センタ装置３００、アーカイブサーバ装置４００、中古品管理装置５００の外観の一例を示す図である。
【００３６】
図６において、端末装置２００、認証センタ装置３００、アーカイブサーバ装置４００、中古品管理装置５００は、システムユニット９１０、ＣＲＴ（Ｃａｔｈｏｄｅ・Ｒａｙ・Ｔｕｂｅ）やＬＣＤ（液晶ディスプレイ）の表示画面を有する表示装置９０１、キーボード９０２（Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（Ｃｏｍｐａｃｔ・Ｄｉｓｃ・Ｄｒｉｖｅ）、プリンタ装置９０６、スキャナ装置９０７などのハードウェア資源を備え、これらはケーブルや信号線で接続されている。システムユニット９１０は、コンピュータであり、電話機９３１、ファクシミリ機９３２（ＦＡＸ）とケーブルで接続され、また、ＬＡＮ９４２、ゲートウェイ９４１を介してインターネット９４０に接続されている。
【００３７】
図７は、端末装置２００、認証センタ装置３００、アーカイブサーバ装置４００、中古品管理装置５００のハードウェア資源の一例を示す図である。
【００３８】
図７において、端末装置２００、認証センタ装置３００、アーカイブサーバ装置４００、中古品管理装置５００は、プログラムを実行するＣＰＵ９１１（Ｃｅｎｔｒａｌ・Ｐｒｏｃｅｓｓｉｎｇ・Ｕｎｉｔ）（「中央処理装置」、「演算装置」、「マイクロプロセッサ」、「マイクロコンピュータ」、「プロセッサ」ともいう）を備えている。ＣＰＵ９１１は、処理装置の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、表示装置９０１、キーボード９０２、マウス９０３、ＦＤＤ９０４、ＣＤＤ９０５、プリンタ装置９０６、スキャナ装置９０７、磁気ディスク装置９２０と接続され、これらのハードウェアデバイスを制御する。磁気ディスク装置９２０の代わりに、光ディスク装置、メモリカードリーダライタなどの記憶媒体が用いられてもよい。
【００３９】
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置の一例である。通信ボード９１５、キーボード９０２、スキャナ装置９０７、ＦＤＤ９０４などは、入力装置の一例である。また、通信ボード９１５、表示装置９０１、プリンタ装置９０６などは、出力装置の一例である。
【００４０】
通信ボード９１５は、電話機９３１、ファクシミリ機９３２、ＬＡＮ９４２などに接続されている。通信ボード９１５は、ＬＡＮ９４２に限らず、インターネット９４０、ＩＳＤＮ（Ｉｎｔｅｇｒａｔｅｄ・Ｓｅｒｖｉｃｅｓ・Ｄｉｇｉｔａｌ・Ｎｅｔｗｏｒｋ）などのＷＡＮなどに接続されていても構わない。インターネット９４０あるいはＷＡＮなどに接続されている場合、ゲートウェイ９４１は不要となる。
【００４１】
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、本実施の形態の説明において「〜部」、「〜手段」として説明する機能を実行するプログラムが記憶されている。プログラムは、ＣＰＵ９１１により読み出され実行される。また、ファイル群９２４には、本実施の形態の説明において、「〜データ」、「〜情報」、「〜ＩＤ（ＩＤｅｎｔｉｆｉｅｒ）」、「〜フラグ」、「〜結果」として説明するデータや情報や信号値や変数値やパラメータが、「〜ファイル」や「〜データベース」や「〜テーブル」の各項目として記憶されている。「〜ファイル」や「〜データベース」や「〜テーブル」は、ディスクやメモリなどの記憶媒体に記憶される。ディスクやメモリなどの記憶媒体に記憶されたデータや情報や信号値や変数値やパラメータは、読み書き回路を介してＣＰＵ９１１によりメインメモリやキャッシュメモリに読み出され、抽出・検索・参照・比較・演算・計算・制御・出力・印刷・表示などのＣＰＵ９１１の処理（動作）に用いられる。抽出・検索・参照・比較・演算・計算・制御・出力・印刷・表示などのＣＰＵ９１１の処理中、データや情報や信号値や変数値やパラメータは、メインメモリやキャッシュメモリやバッファメモリに一時的に記憶される。
【００４２】
また、本実施の形態の説明において説明するブロック図やフローチャートの矢印の部分は主としてデータや信号の入出力を示し、データや信号は、ＲＡＭ９１４などのメモリ、ＦＤＤ９０４のフレキシブルディスク（ＦＤ）、ＣＤＤ９０５のコンパクトディスク（ＣＤ）、磁気ディスク装置９２０の磁気ディスク、その他光ディスク、ミニディスク（ＭＤ）、ＤＶＤ（Ｄｉｇｉｔａｌ・Ｖｅｒｓａｔｉｌｅ・Ｄｉｓｃ）などの記録媒体に記録される。また、データや信号は、バス９１２や信号線やケーブルその他の伝送媒体によりオンライン伝送される。
【００４３】
また、本実施の形態の説明において「〜部」、「〜手段」として説明するものは、「〜回路」、「〜装置」、「〜機器」であってもよく、また、「〜ステップ」、「〜工程」、「〜手順」、「〜処理」であってもよい。すなわち、「〜部」、「〜手段」として説明するものは、ＲＯＭ９１３に記憶されたファームウェアで実現されていても構わない。あるいは、ソフトウェアのみ、あるいは、素子・デバイス・基板・配線などのハードウェアのみ、あるいは、ソフトウェアとハードウェアとの組み合わせ、さらには、ファームウェアとの組み合わせで実現されていても構わない。ファームウェアとソフトウェアは、プログラムとして、磁気ディスク、フレキシブルディスク、光ディスク、コンパクトディスク、ミニディスク、ＤＶＤなどの記録媒体に記憶される。このプログラムはＣＰＵ９１１により読み出され、ＣＰＵ９１１により実行される。即ち、プログラムは、本実施の形態の説明で述べる「〜部」、「〜手段」としてコンピュータを機能させるものである。あるいは、本実施の形態の説明で述べる「〜部」、「〜手段」の手順や方法をコンピュータに実行させるものである。
【００４４】
図８、図９は、中古品管理システム１００の動作（中古品管理方法）を示すフローチャートである。以下では、図１に示した中古品管理システム１００を例にして説明する。
【００４５】
図８に示すように、端末装置２００において、第２の端末入力部２１３は、ＧＰＳ衛星から所在地（経度及び緯度）を示す測位データ（位置データの一例）をＧＰＳアンテナ（入力装置２０３の一例）により受信して入力する（ステップＳ２０１：第２の端末入力ステップ）。第２の端末送信部２１４は、第２の端末入力部２１３により入力された測位データを認証センタ装置３００に送信して認証コード（認証データの一例）の発行を要求する（ステップＳ２０２：第２の端末送信ステップ）。認証センタ装置３００において、認証受信部３１２は、端末装置２００により送信された測位データを受信する（ステップＳ３０１：認証受信ステップ）。認証生成部３１１は、気象庁や日本気象協会のサーバなどから気象衛星画像を取得し（日本気象協会は、気象庁が気象衛星から受信した雲の画像を一般に公開している）、取得した気象衛星画像を符号化（ハッシュ）して気象データ（気象衛星画像のハッシュ値）（時刻データが示す時刻にしか得られない一意の特定データの一例）を生成する。そして、現在時刻を示す時刻データと認証受信部３１２により受信された測位データと気象データとをＣＰＵ（処理装置３０２の一例）により組み合わせてハッシュ関数で数値化することで、認証コードを生成する。認証生成部３１１は、生成した認証コードを端末装置２００に発行（送信）する（ステップＳ３０２：認証生成ステップ）。
【００４６】
ステップＳ２０１で、端末装置２００が有する第２の端末入力部２１３は、ＧＰＳ衛星から時刻データを受信して入力してもよい。この場合、ステップＳ２０２で、第２の端末送信部２１４は、第２の端末入力部２１３により入力された時刻データを認証センタ装置３００に送信する。ステップＳ３０１で、認証センタ装置３００が有する認証受信部３１２は、端末装置２００により送信された時刻データを受信する。ステップＳ３０２で、認証生成部３１１は、認証受信部３１２により受信された時刻データと測位データと気象衛星画像のハッシュ値とを合成して、認証コードを生成する。このとき、認証生成部３１１は、自己のシステム時計を予めＮＩＣＴ（情報通信研究機構）の時刻サーバなどから発信されている国家標準時に同期させておき、端末装置２００から受信した時刻データが不正なものでないかどうかを確認してもよい。
【００４７】
また、ステップＳ３０２で、認証センタ装置３００が有する認証生成部３１１は、さらに、気温、湿度、気圧、高度、風速などの自然現象データ（位置データが示す位置でしか得られない一意の特定データの一例）を認証コードに組み合わせてもよい。認証生成部３１１は、さらに、チェックサム、ハミングコード、ＣＲＣ（Ｃｙｃｌｉｃ・Ｒｅｄｕｎｄａｎｃｙ・Ｃｈｅｃｋ）、電子署名、ＨＭＡＣ（Ｋｅｙｅｄ−Ｈａｓｈｉｎｇ・ｆｏｒ・Ｍｅｓｓａｇｅ・Ａｕｔｈｅｎｔｉｃａｔｉｏｎ）などの改竄検知コードを認証コードに組み合わせてもよい。
【００４８】
端末装置２００において、第１の端末入力部２１１は、認証センタ装置３００により生成された認証コードを取得（受信）する。また、第１の端末入力部２１１は、中古ＰＣ１０１の製造番号（識別データの一例）をキー（入力装置２０３の一例）により入力する（ステップＳ２０３）。さらに、第１の端末入力部２１１は、中古ＰＣ１０１の写真１０３ａ（状態データの一例）をカメラ（入力装置２０３の一例）により撮影する（ステップＳ２０４）。そして、撮影した写真１０３ａに認証センタ装置３００から取得した認証コードを付加して（例えば、写真１０３ａの中に認証コードを書き込む）、認証コード付きの写真１０３ａを入力する（ステップＳ２０５）（ステップＳ２０３〜Ｓ２０５：第１の端末入力ステップ）。第１の端末送信部２１２は、第１の端末入力部２１１により入力された製造番号と写真１０３ａとをアーカイブサーバ装置４００に送信する（ステップＳ２０６：第１の端末送信ステップ）。アーカイブサーバ装置４００において、第１のサーバ受信部４１１は、認証センタ装置３００により生成された認証コードを取得（受信）する。また、第１のサーバ受信部４１１は、端末装置２００により送信された製造番号と写真１０３ａとを受信する（ステップＳ４０１：第１のサーバ受信ステップ）。サーバ記憶部４１２は、第１のサーバ受信部４１１により受信された製造番号と写真１０３ａと認証コードとを対応付けてデータベース（記憶装置４０１の一例）に記憶する（ステップＳ４０２：サーバ記憶ステップ）。
【００４９】
ステップＳ４０２で、アーカイブサーバ装置４００が有するサーバ記憶部４１２は、第１のサーバ受信部４１１が認証センタ装置３００から認証コードを取得してから所定の時間内（例えば、１分以内）に端末装置２００から製造番号と写真１０３ａとを受信しなければ、製造番号や写真１０３ａをデータベースに記憶しないようにしてもよい。この場合、ステップＳ２０６で、端末装置２００が有する第１の端末送信部２１２は、第１の端末入力部２１１が認証センタ装置３００から認証コードを取得してから所定の時間内に認証コード付きの写真１０３ａをアーカイブサーバ装置４００に送信しなければならない。ここで、写真１０３ａに付加される認証コードの形態は、図１に示すようなテキストデータであってもよいし、ＱＲコード（登録商標）やその他の二次元バーコードであってもよい。
【００５０】
図９に示すように、中古品管理装置５００において、管理入力部５１１は、中古ＰＣ１０１の製造番号をキーボード（入力装置５０３の一例）により入力する（ステップＳ５０１：管理入力ステップ）。管理送信部５１２は、管理入力部５１１により入力された製造番号をアーカイブサーバ装置４００に送信する（ステップＳ５０２：管理送信ステップ）。アーカイブサーバ装置４００において、第２のサーバ受信部４１３は、中古品管理装置５００により送信された製造番号を受信する（ステップＳ４０３：第２のサーバ受信ステップ）。抽出部４１４は、第２のサーバ受信部４１３により受信された製造番号に対応する写真１０３ａと認証コードとをデータベースから抽出する（ステップＳ４０４：抽出ステップ）。サーバ送信部４１５は、抽出部４１４により抽出された認証コードに基づき、その認証コードが認証する時刻及び位置を示す時刻位置データをＣＰＵ（処理装置４０２の一例）により生成する。そして、第２のサーバ受信部４１３により受信された製造番号とともに、抽出部４１４により抽出された写真１０３ａと生成した時刻位置データとを中古品管理装置５００に送信する（ステップ４０５：サーバ送信ステップ）。中古品管理装置５００において、管理受信部５１３は、アーカイブサーバ装置４００により送信された製造番号と写真１０３ａと時刻位置データとを受信する（ステップＳ５０３：管理受信ステップ）。管理記憶部５１４は、管理受信部５１３により受信された製造番号と写真１０３ａと時刻位置データとをハードディスク装置（記憶装置５０１の一例）に記憶する（ステップＳ５０４：管理記憶ステップ）。管理出力部５１５は、管理記憶部５１４により記憶された製造番号と写真１０３ａと時刻位置データとをＬＣＤ（出力装置５０４の一例）により出力する（ステップＳ５０５：管理出力ステップ）。管理発行部５１６は、管理受信部５１３により受信された製造番号と写真１０３ａと時刻位置データとを表示して中古ＰＣ１０１が引き取られたことを証明する中古ＰＣ引取証明書１０４（証明書の一例）をプリンタ装置（出力装置５０４の一例）により発行（印刷）する（ステップＳ５０６：管理発行ステップ）。
【００５１】
以上のように、本実施の形態では、アーカイブサーバ装置４００において、第２のサーバ受信部４１３が中古品管理装置５００により送信された識別データを受信し、抽出部４１４が第２のサーバ受信部４１３により受信された識別データに対応する状態データと認証データとを記憶装置４０１から抽出し、サーバ送信部４１５が抽出部４１４により抽出された識別データと状態データと抽出部４１４により抽出された認証データが認証する時刻及び位置を示す時刻位置データとを送信する。そして、中古品管理装置５００において、管理受信部５１３がアーカイブサーバ装置４００により送信された識別データと状態データと時刻位置データとを受信し、管理記憶部５１４が管理受信部５１３により受信された識別データと状態データと時刻位置データとを記憶し、管理出力部５１５が管理記憶部５１４により記憶された識別データと状態データと時刻位置データとを出力する。これにより、例えば、中古品が引き取られた場合に、その中古品が引き取られた正確な時刻及び位置を確認できるため、中古品を正確に管理することが可能となる。また、その中古品が引き取られた時刻及び位置が自動的に記録されるため、中古品を効率的に管理することが可能となる。
【００５２】
また、本実施の形態では、アーカイブサーバ装置４００において、サーバ記憶部４１２が同一の中古品の状態に変化があったことを示す状態データと当該変化があった時刻及び位置を認証する認証データとの複数の組み合わせを、当該中古品を識別する１つの識別データと対応付けて記憶し、抽出部４１４が１つの識別データに対応する状態データと認証データとの複数の組み合わせを記憶装置４０１から抽出し、サーバ送信部４１５が１つの識別データとともに、１つの識別データに対応する状態データと１つの識別データに対応する認証データが認証する時刻及び位置を示す時刻位置データとの複数の組み合わせを送信する。そして、中古品管理装置５００において、管理出力部５１５が１つの識別データとともに、複数の組み合わせに含まれる状態データと時刻位置データとを組み合わせごとに出力する。これにより、例えば、中古品が過去に引き取られ、その後引き渡された場合に、その中古品が引き取られた正確な時刻及び位置、その中古品が引き渡された正確な時刻及び位置をまとめて確認できるため、中古品を容易に管理することが可能となる。
【００５３】
また、本実施の形態では、中古品管理装置５００において、管理発行部５１６が管理受信部５１３により受信された識別データと状態データと時刻位置データとを表示して中古品の状態に変化があったことを証明する証明書を発行する。これにより、例えば、中古品が引き取られた場合に、その中古品が引き取られたことをそのときの正確な時刻及び位置とともに証明できるため、ユーザの利便性が向上する。
【００５４】
実施の形態２．
本実施の形態について、主に実施の形態１との差異を説明する。
【００５５】
本実施の形態では、中古品管理システム１００が備える端末装置２００、認証センタ装置３００、アーカイブサーバ装置４００、中古品管理装置５００の構成は、図２〜５を用いて実施の形態１で説明したものと同様である。実施の形態１では、中古品管理装置５００は、「識別データ」をアーカイブサーバ装置４００に送信し、アーカイブサーバ装置４００は「識別データ」をキーとして状態データなどを抽出するが、本実施の形態では、中古品管理装置５００は、「認証データ」をアーカイブサーバ装置４００に送信し、アーカイブサーバ装置４００は「認証データ」をキーとして状態データなどを抽出する。
【００５６】
図４において、アーカイブサーバ装置４００が有する第２のサーバ受信部４１３は、中古品管理装置５００により送信される認証データを受信する。抽出部４１４は、第２のサーバ受信部４１３により受信された認証データに対応する識別データと状態データとを記憶装置４０１から抽出する。サーバ送信部４１５は、第２のサーバ受信部４１３により受信された認証データに基づき、当該認証データが認証する時刻及び位置を示す時刻位置データを処理装置４０２により生成する。そして、抽出部４１４により抽出された識別データと状態データと生成した時刻位置データとを中古品管理装置５００に送信する。
【００５７】
また、図５において、中古品管理装置５００が有する管理入力部５１１は、認証データを入力装置により入力する。管理送信部５１２は、管理入力部５１１により入力された認証データを送信する。
【００５８】
本実施の形態では、中古品管理システム１００の動作は、図８を用いて実施の形態１で説明したものと同様である。以下では、その後の動作について説明する。
【００５９】
図１０は、中古品管理システム１００の動作（中古品管理方法）を示すフローチャートである。実施の形態１と同様に、以下では、図１に示した中古品管理システム１００を例にして説明する。
【００６０】
図１０に示すように、中古品管理装置５００において、管理入力部５１１は、認証センタ装置３００により生成された認証コード（認証データの一例）をキーボードやバーコードリーダ（入力装置５０３の一例）により入力する（ステップＳ５１１：管理入力ステップ）。管理送信部５１２は、管理入力部５１１により入力された認証コードをアーカイブサーバ装置４００に送信する（ステップＳ５１２：管理送信ステップ）。アーカイブサーバ装置４００において、第２のサーバ受信部４１３は、中古品管理装置５００により送信された認証コードを受信する（ステップＳ４１３：第２のサーバ受信ステップ）。抽出部４１４は、第２のサーバ受信部４１３により受信された認証コードに対応する（中古ＰＣ１０１の）製造番号と写真１０３ａとをデータベースから抽出する（ステップＳ４１４：抽出ステップ）。サーバ送信部４１５は、第２のサーバ受信部４１３により受信された認証コードに基づき、その認証コードが認証する時刻及び位置を示す時刻位置データをＣＰＵ（処理装置４０２の一例）により生成する。そして、抽出部４１４により抽出された製造番号と写真１０３ａと生成した時刻位置データとを中古品管理装置５００に送信する（ステップ４１５：サーバ送信ステップ）。中古品管理装置５００において、ステップＳ５１３〜Ｓ５１６の動作は、実施の形態１で説明した図９のステップＳ５０３〜Ｓ５０６と同様である。
【００６１】
以上のように、本実施の形態では、アーカイブサーバ装置４００において、第２のサーバ受信部４１３が中古品管理装置５００により送信された認証データを受信し、抽出部４１４が第２のサーバ受信部４１３により受信された認証データに対応する識別データと状態データとを記憶装置４０１から抽出し、サーバ送信部４１５が抽出部４１４により抽出された識別データと状態データと抽出部４１４により抽出された認証データが認証する時刻及び位置を示す時刻位置データとを送信する。そして、中古品管理装置５００において、管理受信部５１３がアーカイブサーバ装置４００により送信された識別データと状態データと時刻位置データとを受信し、管理記憶部５１４が管理受信部５１３により受信された識別データと状態データと時刻位置データとを記憶し、管理出力部５１５が管理記憶部５１４により記憶された識別データと状態データと時刻位置データとを出力する。これにより、例えば、中古品が引き取られた場合に、その中古品が引き取られた正確な時刻及び位置を確認できるため、中古品を正確に管理することが可能となる。
【図面の簡単な説明】
【００６２】
【図１】実施の形態１に係る中古品管理システムの概要を示す図である。
【図２】実施の形態１に係る端末装置の構成を示すブロック図である。
【図３】実施の形態１に係る認証センタ装置の構成を示すブロック図である。
【図４】実施の形態１に係るアーカイブサーバ装置の構成を示すブロック図である。
【図５】実施の形態１に係る中古品管理装置の構成を示すブロック図である。
【図６】実施の形態１における中古品管理システムが備える装置の外観の一例を示す図である。
【図７】実施の形態１における中古品管理システムが備える装置のハードウェア資源の一例を示す図である。
【図８】実施の形態１に係る中古品管理システムの動作を示すフローチャートである。
【図９】実施の形態１に係る中古品管理システムの動作を示すフローチャートである。
【図１０】実施の形態２に係る中古品管理システムの動作を示すフローチャートである。
【符号の説明】
【００６３】
１００  中古品管理システム、１０１  中古ＰＣ、１０２  認証センタ、１０３  写真、１０４  中古ＰＣ引取証明書、２００  端末装置、２０１  記憶装置、２０２  処理装置、２０３  入力装置、２０４  出力装置、２１１  第１の端末入力部、２１２  第１の端末送信部、２１３  第２の端末入力部、２１４  第２の端末送信部、３００  認証センタ装置、３０１  記憶装置、３０２  処理装置、３０３  入力装置、３０４  出力装置、３１１  認証生成部、３１２  認証受信部、４００  アーカイブサーバ装置、４０１  記憶装置、４０２  処理装置、４０３  入力装置、４０４  出力装置、４１１  第１のサーバ受信部、４１２  サーバ記憶部、４１３  第２のサーバ受信部、４１４  抽出部、４１５  サーバ送信部、５００  中古品管理装置、５０１  記憶装置、５０２  処理装置、５０３  入力装置、５０４  出力装置、５１１  管理入力部、５１２  管理送信部、５１３  管理受信部、５１４  管理記憶部、５１５  管理出力部、５１６  管理発行部、９０１  表示装置、９０２  キーボード、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  オペレーティングシステム、９２２  ウィンドウシステム、９２３  プログラム群、９２４  ファイル群、９３１  電話機、９３２  ファクシミリ機、９４０  インターネット、９４１  ゲートウェイ、９４２  ＬＡＮ。
【図１】
2008009656.tif 000003
【図２】
2008009656.tif 000004
【図３】
2008009656.tif 000005
【図４】
2008009656.tif 000006
【図５】
2008009656.tif 000007
【図６】
2008009656.tif 000008
【図７】
2008009656.tif 000009
【図８】
2008009656.tif 000010
【図９】
2008009656.tif 000011
【図１０】
2008009656.tif 000012